Podtech/llm-jp-corpus-v4-ja_patent huggingface dataset:
(57)【要約】【課題】ＬＥＤを光源とする照明パネルの標示板に水玉模様が現われないようにした照明パネルを提供する。【解決手段】ＬＥＤを光源とする照明パネル１０は、ＬＥＤ１３と標示板１４との間に半透明のアクリル板１６（光拡散手段）を配置する。上記光拡散手段は、すりガラス、乳白色半透明板、半透明プラスチックシート、和紙、トレーシングペーパー、繊維を多角形または円形に編成した布、不織布、表面に無数の円形または多角形のパターンをエッチングしたガラスの中から採用し、上記半透明のアクリル板１６（光拡散手段）は、雌ネジ１７に螺合したネジ軸１８にコイルスプリング１９を介在させて支持し、ＬＥＤとの間隔を調整可能としたものである。【選択図】  図１
2004347714.tif 000002
【特許請求の範囲】
【請求項１】
標示板の後方から発光ダイオードを光源として照射される照明パネルにおいて、発光ダイオードと標示板との間に光拡散手段を配置してなることを特徴とする照明パネル。
【請求項２】
上記光拡散手段は、すりガラス、乳白色半透明板、半透明プラスチックシート、和紙、トレーシングペーパー、繊維を多角形または円形に編成した布、不織布、表面に無数の円形・多角形パターンをエッチングしたガラスの中から選ばれたものである請求項１に記載の照明パネル。
【請求項３】
上記光拡散手段と発光ダイオードとの間隔を調整可能にしたことを特徴とする請求項１または２に記載の照明パネル。
【発明の詳細な説明】
【０００１】
【発明の属する技術分野】
この発明は、発光ダイオード（以下、ＬＥＤという）を光源とする照明パネルに関する。
【０００２】
【従来の技術】
一般的な照明パネルは、標示板の後方に光源を配置して標示板に画かれた文字・模様を照らし出すようにしたものであるが、近年高輝度であり、消費電力が少ないＬＥＤを光源とする照明パネルが採用されるようになっている。
【０００３】
【発明が解決しようとする課題】
上記ＬＥＤは、高輝度で消費電力が少ないという利点があるが、ＬＥＤに電圧を印加すると、ＬＥＤの周辺部に電荷が集中してその部分の輝度が一段と高くなり、それが標示板に水玉模様となって現れ、照明パネルが異様な状態で照らし出されることとなることがある。
【０００４】
上記従来技術の問題に鑑みこの発明は、ＬＥＤを光源とする照明パネルの標示板に水玉模様が現われないようにした照明パネルを提供することを課題とする。
【０００５】
【課題を解決するための手段】
上記課題を解決するためにこの発明は、ＬＥＤを光源とする照明パネルにおいて、ＬＥＤと標示板との間に光拡散手段を配置してなるもので、上記光拡散手段は、すりガラス、乳白色半透明板、半透明プラスチックシート、和紙、トレーシングペーパー、繊維を多角形または円形に編成した布、不織布、表面に無数の円形または多角形のパターンをエッチングしたガラスの中から採用したもので、上記光拡散手段とＬＥＤとの間隔を調整可能としたものである。
【０００６】
上記の如く構成することによりこの発明は、上記光拡散手段によりＬＥＤから発する光が拡散し、隣接ＬＥＤから発するリング状高輝度の光芒が互いに打ち消しあい標示板に水玉模様が現われなくなる。
【０００７】
上記光拡散手段は、上記例に限るものではなく要するにＬＥＤから発する光が拡散して、隣接するＬＥＤから発するリング状高輝度の光芒が互いに融合、消し合わされて視覚に感じないようにできるものであればよい。
【０００８】
または、ＬＥＤから光拡散手段までの間隔を調整できるようにすることにより拡散の度合いが調節可能となって効果的に水玉模様を消すことができる。
【０００９】
【発明の実施の形態】
次にこの発明の実施の形態を、図面を参照しながら説明する。図１および図２は本発明に係る一実施例で、図１（ａ）はその縦断面図、同（ｂ）は部分拡大図、図２は図１に示す照明パネルをポールに取り付けてパーキング誘導用パネルとしたものである。
【００１０】
照明パネル１０は、ケーシング１１内に配置された縦・横３×３、合計９枚（図２参照）の基板１２と、上記各基板１２に植設された多数のＬＥＤ１３と、ケーシング１１の前面にヒンジ１５を軸にして開閉可能に取り付けられた前蓋を兼ねる標示板１４と、上記標示板１４とＬＥＤ１３との間に挿入され、ＬＥＤに対する間隔を調整可能にした半透明のアクリル板１６とからなっている。
【００１１】
上記半透明のアクリル板１６は、ケーシング１１に取り付けられた雌ネジ１７に螺合したネジ軸１８により支持されコイルスプリング１９により付勢されて、ネジ軸１８のノブ１８ｎを摘んで回すことによりＬＥＤ１３に対する間隔を調整可能にしている。
【００１２】
なお、ここで半透明のアクリル板１６は、ＬＥＤ１３から発する光の拡散手段で、とりわけ隣接するＬＥＤから発するリング状の光芒を拡散し互いに打ち消しあって消去させるものである。
【００１３】
上記照明パネル１０は、図２に示すように、懸垂金具２１によりポール２２の腕木２３に吊り下げてパーキングの誘導用照明パネル２０とし、ポール２２の図面上左側には料金箱２４などが取り付けられ、料金が投入されると「空き」のパーキングを表示誘導するようになっている。
【００１４】
図３は、ＬＥＤ１３の植設ピッチと、ＬＥＤ１３と半透明のアクリル板１６の間隔の関係を説明する図で、ＬＥＤ１３の植設ピッチが小さいときは光拡散手段までの間隔が小さく、植設ピッチが大きくなると半透明のアクリル板１６までの間隔が大きくなる。この図で分かるように輝度の強いリング状光芒は半透明のアクリル板１６で拡散され、他のＬＥＤのリング状光芒同士が打ち消し合って標示板に水玉模様現われなくなる。
【００１５】
図４は、工場施設の案内板で、標示板には、工場の入り口の正面に「守衛」があり「現在位置」から一方通行で「多目的ホール」、「生産技術」、「グランド」を経て復路で「屋外照明事業部」、「総合技術センター」に至ること現している。
【００１６】
この標示板の背後には、上記説明と同様に半透明のアクリル板が介在し、その後方に多数のＬＥＤを植設した基板が配置されている。
【００１７】
【発明の効果】
以上説明した通りこの発明によれば、高輝度で消費電力の少ないＬＥＤを用いながら、これまで問題であった標示板に水玉模様が現われるのを完全に無くし、見易く経済的な照明パネルを提供できるようになった。
【図面の簡単な説明】
【図１】（ａ）この発明に係る照明パネルの縦断面図
（ｂ）光拡散手段である半透明のアクリル板間隔調整機構詳細図
【図２】パーキング誘導用照明パネルの正面図
【図３】半透明アクリル板の位置と光拡散の説明図で（ａ）はＬＥＤのピッチ小で拡散が小、（ｂ）はＬＥＤのピッチ大で拡散が大を示す。
【図４】工場施設案内の照明パネルの正面図
【符号の説明】
１０  照明パネル
１１  ケーシング
１２  基板
１３  ＬＥＤ
１４  標示板
１５  ヒンジ
１６  半透明のアクリル板
１７  雌ネジ
１８  ネジ軸
１９  コイルスプリング
２０  パーキングの誘導用照明パネル
２１  懸垂金具
２２  ポール
２３  腕木
２４  料金箱
【図１】
2004347714.tif 000003
【図２】
2004347714.tif 000004
【図３】
2004347714.tif 000005
【図４】
2004347714.tif 000006
(57)【要約】【課題】略コ字状ミシンの縫製部のような狭い個所でも上下方向の採寸を迅速に行える金属製直尺を提供する。【解決手段】目盛端面を基点とし、長手方向に沿って表側に目盛面を有する金属製直尺において、端部裏側に第２目盛面を長手方向と直交する方向に沿って備え、第２目盛面の基点を長手方向に沿う目盛側面とした。【作用】端部裏側に第２目盛面を長手方向と直交する方向に沿って備えると共に第２目盛面の基点を長手方向に沿う目盛側面としたので、略コ字状ミシンの縫製部のような狭い個所であっても第２目盛面で上下方向の採寸が容易に行える。【選択図】        図２
2004347447.tif 000002
【特許請求の範囲】
【請求項１】
目盛端面を基点とし、長手方向に沿って表側に目盛面を有する金属製直尺において、端部裏側に第２目盛面を長手方向と直交する方向に沿って備え、第２目盛面の基点を長手方向に沿う目盛側面としたことを特徴とする金属製直尺。
【請求項２】
第２目盛面が、目盛端面に隣接して配置されている請求項１に記載の金属製直尺。
【発明の詳細な説明】
【０００１】
【産業上の利用分野】
本発明は、目盛端面を基点とする金属製の直尺に関する。
【０００２】
【従来の技術】
従来の金属製直尺では、目盛端面を基点とし、長手方向に沿って表側に目盛面を備えていた（例えば、非特許文献１参照。）。
【０００３】
【非特許文献１】
「ＪＩＳ金属製直尺  ＪＩＳ  Ｂ  ７５１６−１９８７」、
昭和６２年１０月１日  改正、
日本規格協会  発行、ｐ．１
【０００４】
【発明が解決しようとする課題】
ところが、従来の金属製直尺では、呼び寸法が１５０〜２０００ｍｍとなっているため、例えば略コ字状ミシンの縫製部のような狭い個所で上下方向の採寸を行うことが困難であった。
従って、本発明の課題は、ミシンの縫製部のような狭い個所でも上下方向の採寸を迅速に行える金属製直尺を提供することを目的としている。
【０００５】
【課題を解決するための手段】
本発明は、上記目的を達成するために、目盛端面を基点とし、長手方向に沿って表側に目盛面を有する金属製直尺において、端部裏側に第２目盛面を長手方向と直交する方向に沿って備え、第２目盛面の基点を長手方向に沿う目盛側面としたことを特徴とする。
【０００６】
なお第２目盛面を目盛端面に隣接して配置するのが望ましい。
【０００７】
【作用】
本発明によれば、端部裏側に第２目盛面を長手方向と直交する方向に沿って備えるとともに、第２目盛面の基点を長手方向に沿う目盛側面としたので、略コ字状ミシンの縫製部のような狭い個所であっても第２目盛面側で上下方向の採寸が容易に行え、表側の目盛面も目障りとならない。なお第２目盛面を目盛端面に隣接して配置すると、狭い個所への挿入度合いを最少にすることができる。
【０００８】
【発明の実施の形態】
以下、本発明に係る実施の形態を図面を用いて説明する。金属製直尺１は目盛端面２を備え、呼び寸法は１５０ｍｍとなっている。金属製直尺１の表側は目盛側面（長手方向）に沿って目盛面３，３（図１においては目盛面３，３中途部分の表示を省略している）を有し、目盛面３，３は金属製直尺の目盛端面２を基点としたものとなっている。本実施の形態では、金属製直尺の呼び寸法を１５０ｍｍにしていたが、これに限定されるわけでなく、製作の際に該呼び寸法を３００〜２０００ｍｍのいずれかに設定してもよい。
【０００９】
金属製直尺１の端部裏側には第２目盛面４が備えられている。第２目盛面４は目盛側面を基点としており、その配置は金属製直尺１の長手方向と直交する方向に延びている。なお第２目盛面４の尺度単位は目盛面３，３のものに合わせている。また好ましくは図２に示されるように、第２目盛面４を目盛端面に隣接して配置すると、略コ字状ミシンの縫製部のような狭い個所への挿入度合いを最少にできる。
【００１０】
【発明の効果】
以上のように、本発明によれば、略コ字状ミシンの縫製部のような狭い個所であっても第２目盛面で上下方向の採寸が容易に行えるので、部品組付け時の調整作業を迅速に処理することができる。
【図面の簡単な説明】
【図１】本発明に係る金属製直尺の表側を示す説明図である。
【図２】同金属製直尺の裏側を示す説明図である。
【符号の説明】
１            金属製直尺
２            目盛端面
３            目盛面
４            第２目盛面
【図１】
2004347447.tif 000003
【図２】
2004347447.tif 000004
(57)【要約】【課題】試料の周りから空気を遮断するのにヘリウム置換か真空排気が行われるが、試料の入れ物に入射Ｘ線、回折、散乱Ｘ線のための窓が設けられ、これを通してＸ線等を入射させるために、その入射角度に制限が生じ又、窓材としてベリリウム材を用いことになり、構造及び材料が高価である。【解決手段】試料セル本体に保持された試料周囲を覆うプラスチック袋と、この袋の周囲端を試料セル本体に密封固定するためのＯリング及びＯリングおさえからなる密封固定機構と、このプラスチック袋内に不活性ガスを導入して袋内を不活性雰囲気で置換するための試料セル本体に設けられたガス導入口、ガス出口及びガス流量調節弁からなるガス置換機構とを備えた、酸化防止用ドーム型試料セル。【選択図】  図１
2004347343.tif 000002
【特許請求の範囲】
【請求項１】
試料本体と、試料セル本体に保持された試料周囲を覆うプラスチック袋と、この袋の開口周囲端を試料セル本体に密封固定するためのＯリング及びＯリング押えと、からなる密封固定機構から構成された酸化防止用ドーム型試料セル。
【請求項２】
プラスチック袋内に不活性ガスを導入して袋内を不活性雰囲気で置換するための試料セル本体に設けられた不活性のガス導入口、そのガス出口、及びガス流量調節弁からなるガス置換機構を備えた請求項１記載の酸化防止用ドーム型試料セル。
【発明の詳細な説明】
【０００１】
【発明の属する技術分野】
本発明は、試料表面の雰囲気をヘリウムガス等の不活性ガスで容易に置換できる試料セルに関するものである。
【０００２】
【従来の技術】
従来、試料の周りから空気を遮断するのに、ヘリウム置換か真空排気が用いられている。このとき、試料をある入れ物に入れ、その入れ物（試料セル）に入射Ｘ線、回折、散乱Ｘ線のための窓をもうけられている。この場合は、この窓を通してＸ線等を入射させるために入射、回折、散乱線に角度の制限が生じる。又、窓材として半球型のベリリウムを用い、上記角度制限がないようにするが、このような材料及び構造を備えることは非常に高価になる。
【０００３】
【発明が解決しようとする課題】
本発明は、試料を空気から容易に且つ安価な試料セルにより遮断できること、又入射Ｘ線、回折、散乱Ｘ線の角度制限をしないことを目的として形成されたものである。
【０００４】
【課題を解決するための手段】
本発明は、空気と遮断する部分にプラスチックの袋を利用することによって、入射、回折、散乱Ｘ線を邪魔することなく、酸化の原因である空気をヘリウムガス等の不活性ガスに完全に置換できることである。
【０００５】
【発明の実施の形態】
本発明においては、図１に示されるように、試料セル本体１内には、内部通路がその本体内部を貫通して設けられている。その通路の一方の開口は、試料セル本体頂部の試料を保持するための真空部分１３に向かって開口している。その通路の他方の開口は、試料３を真空チャックするための真空排気口４に通じている。この真空排気口４は、真空弁を介して真空ポンプと接続している。試料３を試料セル本体１に取付けるためには、試料をセル本体頂部のＯリング２上に乗せて真空ポンプを作動させ、試料３、Ｏリング２及びセル本体頂部で囲まれた試料を保持するための真空部分１３に存在する空気を内部通路を通して排気する。その結果、試料はＯリング２を介して試料セル本体に真空密着保持される。
【０００６】
次に、試料表面を不活性ガス雰囲気にするためには、プラスチック袋７を、試料３が真空密着保持された試料セル本体頂部にかぶせ、その袋の周囲端をＯリング８を介してＯリング押え９により試料セル本体に密封固定する。その後、ヘリウムガス導入口１０からヘリウムガスがプラスチック袋７内に導入され、その一部がヘリウムガス出口１１から排出され、試料表面の雰囲気を不活性ガスで置換される。この置換の際には、ヘリウムガス出口１１がチューブを介してヘリウムガス流量調節弁に連結されて行われる。
【０００７】
【実施例】
操作手順は次のとおりに行われる。試料セル本体にＯリングをのせ、その上に試料をのせる。真空弁を開け、真空ポンプを作動させて試料をＯリングを介して真空チャックする。真空チャック後に真空ポンプを分離する。
【０００８】
試料セル本体にプラスチック袋をかぶせ、その袋の周囲端部にＯリングを取付けた後にＯリングおさえによりプラスチック袋をセル本体に密着固定する。そのプラスチック袋をつぶして、その内部の空気を減らした後、ヘリウムガス導入口からプラスチック袋内部へヘリウムガスを導入する。その際に、ヘリウムガス流量調節弁により導入されるヘリウムガスの流量を調節する。このようにして試料を取り付けた後にヘリウムガスを流しながら試料セル本体を逆さにしても試料は安定に張り付いていた。
【０００９】
試料セル本体の材質は特に限定しない。しかし、アルミニウムやアクリルなどを用いてＸ線散乱強度を低減化した。
【図面の簡単な説明】
【図１】本発明の試料セルの構造を示す図である。
【図１】
2004347343.tif 000003
(57)【要約】【課題】携帯電話のカメラ画像を拡大視するに当たって軽量な拡大鏡で且つ両眼視出来るビュウア−式のル−ペで有り、収納時には携帯電話以下に小型化出来る光学系が求められる。【解決手段】収納時の小型化と全体の軽量化としては通常のレンズは使用出来ずレンズ肉厚を省略出来且つ非球面化に依って収差を補正できるフレネルレンズを用いることで折り畳み時の厚さを薄くでき且つ従来の製法によらないフレネルレンズを用いる事で周辺部の見えの改善を行える。【選択図】  図１
2004347823.tif 000002
【特許請求の範囲】
【請求項１】
ル−ペとして用いるフレネルレンズのそれぞれの輪帯に於ける透過面の法線は概ね頂点半径で定められる点を通過する、これを満足するフレネルレンズに於いて透過面と透過面を繋ぐ非透過面の切削角が、透過面に対して入射する光束の中心光線が光軸と成す角と入射した光束が屈折後射出される角度の間の角度を持つ事を特徴とするフレネルレンズ。
【請求項２】
携帯電話の表示画像を拡大する光学装置に於いて構成要素として請求項１のフレネルレンズを用いてレンズ全長を短く且つ軽量とし、使用時には画面との間隔を保ち所定の拡大率とし収納時は折り畳んで小型にできる携帯電話用折り畳式画像拡大装置。
【発明の詳細な説明】
【０００１】
【発明の属する技術分野】
本発明は光学機器に属する。
【０００２】
【従来の技術】
従来のフレネルレンズに於いては主として光源からの光束がフレネルレンズの平滑面に入射してレンズ面を射出するときは光軸に平行であるとした設計から透過面と透過面を繋ぐ非透過面は光軸と平行で在る事が光束の損失を最小にする簡便な方法であった。
【０００３】
【発明が解決しようとする課題】
従来の光学式拡大装置は光学機器という機器の設計手段に依り所要拡大率から焦点距離が定められ、そのレンズ構成に依りレンズの最大外形が定まるという従来の光学設計手段が用いられた、此の手法に於いては光学系を構成するレンズが球面で在る時は単玉或いは貼合わせ玉で在れば最大径と焦点距離比が１：２が各収差の残存限度で在り比率が１：１の方向では残存収差が大となって使用に耐えられ無いとされて来た。
【０００４】
最近に於いてレンズを球面のみで構成せず非球面を用いて残存収差特に球面収差を補正する設計が加工手段の発展に伴って実用化されて来た。即ち非球面で球面収差を補正し、他の面は他の収差を補正すると言う手法で１：２の壁を破って１：１の方向にレンズ径を拡大する。しかし此の手法にも限度が在る。即ち実際のレンズに於いては球面半径の２倍を越す球面は存在出来無い。
【０００５】
凸面では極めて希に存在するが光軸上の厚さが半径以上の肉厚と成り凹面では不可能と成る。通常の研磨法に依るレンズ製造では球面半径と外径の限界を１：１弱とし、これ以上の外径を持つレンズは多面研磨が出来ず単体研磨法となり加工費が急増すという問題が存在する。
【０００６】
【課題を解決するための手段】
この非球面の使用を容易とし製造可能とするのがフレネルレンズ系で有り、構成する破断面の法線が光軸と為す角が４５゜を越えてもその本質から肉厚は一定で且つ其処を通過する光束の要求する法線角にする事が出来、収差補正が容易と成る。この事は光学系を構成する各面の何れをも非球面化出来る事で燈台の照明に用いられる古典的なフレネルレンズとは些か異なる。
【０００７】
現在光学系で使用されてるフレネルレンズは厚さ１ｍｍ程度から５ｍｍ程度の透明な合成樹脂板の表面上に光軸から定められた同心円上に所定の法線角を持った透過面を配置する手法に依って通過光束を必要とする方向に変換するフレネルレンズ面を作り出している。
従来の手法で作られたフレネルレンズをル−ペとして用いるに当たって中心部では左程の事もないが周辺部の角度が大と成るに従っ図３−２に示す様なシャドウと呼ばれる光束を阻害する部分の影響が大きく成り画面品位を著しく低下させ且つ光量の損失を起こす。
【０００８】
図３はフレネルレンズを用いたル−ペの概念を３−１に示し３−２はフレネルレンズの斜行光束の透過面に於ける阻害の状況を表す、各透過面と透過面の間に於ける光束の損失はの概算は次表に示す。
フレネルレンズから目迄を１５ｍｍ、瞳径を５ｍｍ、焦点距離を５０ｍｍとして計算し、フレネルレンズピッチは．０．５ｍｍとした時の値で在る。
2004347823.tif 000003
【０００９】
上表から見られる様に光軸から離れた位置ほど損失は大となって画面は白く濁りを生じて暗くなり品位が落ちる。非透過面に過大な傾斜角を付けるとまた逆効果と成っる事は図３−２から明かである。
画面品位の低下はシャドウ部に依って阻害された光束が迷光と成って正規の光束に混じって目に達する事に依って引き起こされるから此の光束を除くには透過させる事が最上の手段と成る。すなわち透過面に入射する光束と略平行な面か、透過面から射出する光束と平行とする事で迷光を最小と成し得て、且つ光束の損失も少なくする事が出来る。
【００１０】
【発明の実施の形態】
図１−１は本発明のフレネルレンズを用いた拡大鏡で画像を拡大される場合を示し、図１−２は拡大装置を折り畳んだ状態を示す。図２では携帯電話と組み合わせての画像拡大状態を示す。レンズ系は凸２枚、凹１枚の３枚構成で各フレネルレンズ共周縁部は非球面化して在り、像面の倒れと歪曲に就いての補正を行い見えを良くして在る。視度は  −１ディオプタ−固定とした。
【００１１】
【実施例】
実施に当たってはＸを光軸、Ｈを光軸に直角な軸とする回転２次曲面の頂点を原点とした基準式に於いてＨの係数を１、ｘの２次係数をＥ、１次係数をＲとした時、本発明を構成する各レンズの係数はＥ１＝０．０５、Ｒ１＝５５、Ｅ２＝０．０３、Ｒ２＝−１２０、Ｅ３＝０．０４、Ｒ３＝５２とする構成と成った。これは各レンズの基準面で有り周辺に於いては微細な変化を施して有る。
【００１２】
【発明の効果】
上記レンズ構成に於いてレンズ外形は７０ｘ５０で十分に余裕を持った寸法となり、見えも満足できた。レンズの厚みはそれぞれが１ｍｍ以下で、折り畳み時には７ｍｍの厚さと成って携帯電話と併せ持つ事が容易な形態と成った。
試作ではフレネルレンズのピッチを直接加工を施す関係で０．２ｍｍとしたが実用上左程見えを損なわず量産時も０．２ｍｍで在れば十分に満足出来ると思われる。
【図面の簡単な説明】
【図１】折り畳み式フレネルレンズ拡大装置の使用時と収納時の形態を示す。
【図２】折り畳み式フレネルレンズ拡大装置を携帯電話と組ませた状態を示す。
【図３】フレネルレンズに於ける光束阻害となる非透過面の状態を示す。
【符号の説明】
Φ      目の瞳径
Ｐ      アイポイント
ｄ      フレネルレンズ肉厚
ｆ      フレネルレンズ焦点距離
Ｐｉｃｈ      透過面ピッチ
【図１】
2004347823.tif 000004
【図２】
2004347823.tif 000005
【図３】
2004347823.tif 000006
(57)【要約】【課題】油煙の漏出を防止できる回転機軸受オイルシール装置を提供すること。【解決手段】第１のシール部５Ａ、５Ｂを有する油槽６と、その油槽６の上部に前記第１のシール部５Ａ、５Ｂを内部に包含するように設けられた補助油切箱８と、この補助油切箱８に設けられた第２のシール部９と、前記第１及び第２のシール部に設けられた加圧エアー供給手段とを備えている。【選択図】  図１
2004347058.tif 000002
【特許請求の範囲】
【請求項１】
第１のシール部を有する油槽と、この油槽の前記第１のシール部に加圧エアーを供給する第１のエアー供給手段と、前記油槽の前記第１のシール部を内部に含むと共に、第２のシール部を有する補助油切箱と、この補助油切箱に設けられた前記第２のシール部に加圧エアーを供給する第２のエアー供給手段とを備えたことを特徴とする回転機軸受オイルシール装置。
【請求項２】
前記第１及び第２のエアー供給手段の少なくも一方に、エアー供給量調整バブルを備え、これによって、前記補助油切箱の内圧が前記油槽の内圧より大きくなるように調整されることを特徴とする回転機軸受オイルシール装置。
【発明の詳細な説明】
【０００１】
【発明の属する技術分野】
本発明は、各種産業機器において回転軸を有する回転機の軸受けに対するオイルシール装置に関する。
【０００２】
【従来の技術】
従来、この種の回転機の軸受け部に設けられるオイルシール装置は、図２に示すように、油槽１内に潤滑油２が貯蔵されており、この油槽１の上端にはシール部３が設けられている。このシール部３は潤滑油２が回転軸４への漏出をシールする構成になっている。
【０００３】
【発明が解決しようとする課題】
しかしながら、このような構造の従来のシール装置では、油滴などの粒子の大きいもの、例えば、潤滑油の飛散したものに対しては有効なシール方式であるが、潤滑油が高温になった場合に発生するペーパー、すなわち、油煙に対してはシール効果がなく、その結果、しばしば、回転軸４の軸受け周りに深刻な油汚れを引き起こしていた。
【０００４】
その対策として、図３に示すように、２箇のシール部５ａＡおよび５Ｂを油槽６に設けて、これらのシール部５Ａおよび５Ｂの間の空間に加圧エアーを供給し、油煙をシールしていた。
【０００５】
しかしながら、この装置においては、シール部５Ａおよび５Ｂから流出する油煙はシールすることが出来るが、一方で、余分なエアーが矢示７のように外部に流出し、さらに、油槽６の内部と外部との圧力差のバランスが崩れると、油槽６内の油煙が、外部に誘導される危険を併せ持っていた。
【０００６】
そこて、本発明の目的は、粒子の大きい油滴は勿論、油煙の外部流出をも完全にシールできる回転機軸受オイルシール装置を提供することにある。
【０００７】
【課題を解決するための手段】
本発明の回転機軸受オイルシール装置は、第１のシール部を有する油槽と、この油槽の前記第１のシール部に加圧エアーを供給する第１のエアー供給手段と、前記油槽の前記第１のシール部を内部に含むと共に、第２のシール部を有する補助油切箱、この補助油切箱に設けられた前記第２のシール部に加圧エアーを供給する第２のエアー供給手段とを備えたことを特徴とするものである。
また、本発明の回転機軸受オイルシール装置においては、前記第１及び第２のエアー供給手段の少なくも一方に、エアー供給量調整バブルを備え、これによって、前記補助油切箱の内圧が前記油槽の内圧より大きくなるように調整されることを特徴とするものである。
【０００８】
【発明の実施の形態】
以下、本発明による実施形態を図１について説明する。
【０００９】
図１は、本発明による実施形態の軸受けオイルシール部の構成ブロック図で、図３と同一構成部分には同一符号を付して示し、その部分の詳細な説明は省略し、以下では図３と相違する構成部分についてのみ主として説明する。
【００１０】
同図において、油槽６の上部には補助油切箱８が配置されており、この補助油切箱８にはその上端に第２のシール部９が設けられている。
【００１１】
そして、油槽６のシール部５Ａおよび５Ｂと補助油切箱８には、それぞれにはエアー量調節バルブ１０、１１が設置され、これらのバルブ１０、１１を介して加圧エアーが供給される構成になっている。これらのバルブ１０、１１は、油槽６内圧が補助油切箱８の内圧より大きくなるように、通過するエアー量が調整される。
【００１２】
このような本発明の回転機軸受オイルシール装置によれば、従来のシール部５Ａおよび５Ｂの他に、補助油切箱８が設けられており、シールが２段構成になっているため、補助油切箱８のクッション効果によって油煙の漏出防止効果が一層強化される。
【００１３】
【発明の効果】
上記した本発明によれば、油槽の上部に補助油切箱を設け、その補助油切箱の内圧を分岐油槽の内圧より大きくすることによって、油滴、特にペーパー（油煙）のシール効果を向上させている。
【図面の簡単な説明】
【図１】本発明の回転機軸受オイルシール装置の実施形態を示す概略断面図である。
【図２】従来の回転機軸受オイルシール装置の構成を示す概略断面図である。
【図３】従来の回転機軸受オイルシール装置の他の例を示す概略断面図である。
【符号の説明】
１，６  油槽
２  潤滑油
３、５Ａ、５Ｂ、９  オイルシール部
４  回転軸
７  矢示（ペーパーの漏出流れ）
８  補助油切箱
１０、１１  エアー量調節バブル
【図１】
2004347058.tif 000003
【図２】
2004347058.tif 000004
【図３】
2004347058.tif 000005
(57)【要約】【課題】本発明は、動力伝達軸を有する保持体をＴ字型の筒体を介して保持し、偏心等の振動の吸収を行うことを目的とする。【解決手段】本発明による偏心吸収及び防振機能を有する動力伝達装置は、動力伝達軸（６）の軸受（３）を有する保持体（４）を取付ボルト（５）と同軸の弾性の筒体（１２）を介して保持し、動力伝達軸（６）の偏心等による振動を吸収・防止する構成である。【選択図】        図３
2004347043.tif 000002
【特許請求の範囲】
【請求項１】
基台（１）上に設けられ動力伝達軸（６）を回転自在に有する軸受（３）を保持するための保持体（４）と、前記保持体（４）を前記基台（１）上に固定するための取付ボルト（５）と、前記動力伝達軸（６）に設けられたプーリ（７）に接続されたベルト（２４）とを備え、前記動力伝達軸（６）が前記プーリ（７）と共に回転するように構成した動力伝達装置において、
前記取付ボルト（５）の外周位置に設けられ第１フランジ（１１）を有して全体形状がＴ字型をなす第１筒体（１０）と、前記第１筒体（１０）の外周位置に設けられ第２フランジ（１３）を有して全体形状がＴ字型をなす第２筒体（１２）とを有し、前記第２筒体（１２）は弾性体よりなり、前記第２筒体（１２）の前記第２フランジ（１３）と前記基台（１）との間に前記保持体（４）が挟持され、前記第２筒体（１２）により前記動力伝達軸（６）の偏心吸収及び防振を行うように構成したことを特徴とする偏心吸収及び防振機能を有する動力伝達装置。
【請求項２】
前記第２筒体（１２）はゴムよりなることを特徴とする請求項１記載の偏心吸収及び防振機能を有する動力伝達装置。
【発明の詳細な説明】
【０００１】
【発明の属する技術分野】
本発明は、偏心吸収及び防振機能を有する動力伝達装置に関し、特に、動力伝達軸を保持する保持体を、弾性体の筒体を介して取付ボルトで取付けることにより、動力伝達軸の偏心吸収と防振を行うための新規な改良に関する。
【０００２】
【従来の技術】
従来、用いられていたこの種の動力伝達装置における動力伝達軸を軸受けする軸受を有する保持体は、社内製作のためその構造を示す文献等は開示していないが、取付ボルトによって直接基台に固定されていた。
【０００３】
【発明が解決しようとする課題】
従来の動力伝達装置は、以上のように構成されていたため、次のような課題が存在していた。
すなわち、動力伝達軸に偏心が発生していると、動力伝達が円滑に行われないだけではなく、振動や異音の発生となり、動力伝達装置の寿命や信頼性を損なうことになっていた。
【０００４】
本発明は、以上のような課題を解決するためになされたもので、特に、動力伝達軸を保持する保持体を、弾性体の筒体を介して取付ボルトで取付けることにより、動力伝達軸の偏心吸収と防振を行うようにした偏心吸収及び防振機能を有する動力伝達装置を提供することを目的とする。
【０００５】
【課題を解決するための手段】
本発明による偏心吸収及び防振機能を有する動力伝達装置は、基台上に設けられ動力伝達軸を回転自在に有する軸受を保持するための保持体と、前記保持体を前記基台上に固定するための取付ボルトと、前記動力伝達軸に設けられたプーリに接続されたベルトとを備え、前記動力伝達軸が前記プーリと共に回転するように構成した動力伝達装置において、前記取付ボルトの外周位置に設けられ第１フランジを有して全体形状がＴ字型をなす第１筒体と、前記第１筒体の外周位置に設けられ第２フランジを有して全体形状がＴ字型をなす第２筒体とを有し、前記第２筒体は弾性体よりなり、前記第２筒体の前記第２フランジと前記基台との間に前記保持体が挟持され、前記第２筒体により前記動力伝達軸の偏心吸収及び防振を行うようにした構成であり、また、前記第２筒体はゴムよりなる構成である。
【０００６】
【発明の実施の形態】
以下、図面と共に本発明による偏心吸収及び防振機能を有する動力伝達装置の好適な実施の形態について説明する。
図１及び図２において符号１で示されるものは基盤２上に取付けられた基台であり、この基台１上には軸受３を有する保持体４が取付ボルト５を介して取付けられている。
【０００７】
前記軸受３には、長手形状の動力伝達軸６が回転自在に設けられ、この軸受３を貫通して突出した前記動力伝達軸６の突出軸部６ａにはプーリ７が一体回転するように設けられている。
【０００８】
前記取付ボルト５は、図３に特に示されるように、前記取付ボルト５の外周位置には、これと同軸状に全体形状がＴ字型をなす第１筒体１０が設けられており、この第１筒体１０には第１フランジ１１が設けられている。
前記第１筒体１０の外周位置には、これと同軸状に全体形状がＴ字型をなす第２筒体１２が設けられており、この第２筒体１２はゴム等の弾性体よりなると共に第２フランジ１３を有している。
【０００９】
前記各フランジ１１及び１３は、互いに軸方向に沿って重合しており、前記取付ボルト５を前記基台１のねじ孔１ａに螺入させることにより、この取付ボルト５の鍔部５ａが各フランジ１１、１３を押圧し、前記保持体４は前記基台１と第２フランジ１３とによって挟持される。
尚、図３では、図１の一方の取付ボルト５の取付構造について述べているが、図１の各取付ボルト５は図３と同様の構造により構成されている。
【００１０】
前記基盤２上の前記基台１とは離間した位置には、モータ２０が固定ボルト２１によって設けられており、このモータ２０のモータ軸２２に設けられたプーリ２３と前記プーリ７とはベルト２４を介して接続されている。
【００１１】
前述の構成において、モータ２０を駆動すると、ベルト２４を介して動力伝達軸６が回転し、図示しない被回転体の駆動が行われる。
前述の場合、前記動力伝達軸６又はその軸受構造等に偏心等が存在し、回転時に振動等が発生した場合でも、保持体４の振動が前記第２筒体１２の弾性によって吸収され、防止される。
【００１２】
また、前述の保持体４は、第２筒体１２の第２フランジ１３と外周部分に接して保持されているため、保持体４の軸方向に沿う上下振動及び軸方向に直交する水平方向の振動を効果的に吸収することができる。
【００１３】
【発明の効果】
本発明による偏心吸収及び防振機能を有する動力伝達装置は、以上のように構成されているため、次のような効果を得ることができる。
すなわち、動力伝達軸の軸受を保持する保持体を、フランジ付きのＴ字型をなす弾性体からなる筒体で保持しているため、動力伝達軸の偏心等による振動を吸収し、安定した動力伝達を達成することができる。
【図面の簡単な説明】
【図１】本発明による動力伝達装置を示す平面図である。
【図２】図１の右側を示す構成図である。
【図３】図２の要部（Ｂ部）を示す拡大断面図である。
【符号の説明】
１    基台
３    軸受
４    保持体
５    取付ボルト
６    動力伝達軸
７    プーリ
１０    第１筒体
１１    第１フランジ
１２    第２筒体
１３    第２フランジ
２４    ベルト
【図１】
2004347043.tif 000003
【図２】
2004347043.tif 000004
【図３】
2004347043.tif 000005
(57)【要約】【課題】従来の目覚し時計の場合は、体が未だ眠っているのに急激に大きな音で起こされるので、体に対して負担が大きく精神的にも良くない。このため朝の目覚めを自然な感覚で体に優しく爽やかにできる目覚しスイッチを提供する。【解決手段】時間をセットできるタイマーと、調光装置を組合せ、タイマーで起床時間が来る前に、調光装置を作動させ、室内灯Ａの光量を徐々に上げ、起床時間が来た時に室内灯Ａが全光して起床を知らせる構成とした目覚しスイッチで、眠っている体を自然の状態で優しく目覚に導く。【選択図】  図１
2004347503.tif 000002
【特許請求の範囲】
【請求項１】
時間をセットできるタイマーと調光装置を組合せ、タイマーで時間が来ると併設した調光装置が起動し、徐々に光量を増し、調光装置のセット時間が零になった時に室内灯Ａが全光して起床時間を知らせることを特徴とした調光装置を用いた目覚しスイッチ。
【請求項２】
タイマーの時間が来て一旦ベルが鳴り予め起床の時間を知らせて、タイマーのスイッチがＯＦＦになったとき併設した調光装置のスイッチがＯＮとなって室内灯Ａが点灯し徐々に明るくなることを特徴とした請求項１に記載の調光装置を用いた目覚しスイッチ。
【発明の詳細な説明】
【０００１】
【発明が属する技術分野】
本発明は調光装置を用いた目覚しスイッチに関する。
【０００２】
【従来の技術】
一般に目覚し時計は、ベルやアラームをセットして、目覚しの時間が来たときにベルやアラームが鳴って起床を知らせる方式のものが普通に使用されている。またランプを用いて時間の到来を知らせる方式の各種の検知装置も知られている。
【０００３】
【発明が解決しようとする課題】
しかし、この従来のベルやアラームによる目覚し時計は極めて一般に使用されているが、熟睡中にセット時間が来て急にベルやアラームが鳴った場合には、体が未だ眠っていて起きあがった時には暫くの間体の調子が悪く活動が出来ない。
【０００４】
このため少しの時間に余裕を見てタイマーをセットすると、一度目を覚ましても時間があるため再び眠りについてしまい遅刻をするなど苦い経験は誰にでもある。
【０００５】
またランプを点灯させて時間を知らせる検知方式のものは、目覚しに適用しても音が出ないため気付かないことや、急にライトを点灯させても眩しく前記のベルやアラームの場合と同様にその状況に馴染むまでには相当に時間がかかるという欠点があった。
【０００６】
【課題を解決するための手段】
発明者はこの点に鑑み、鋭意試作実験を重ねた結果、本発明を開発したものであって、本発明はタイマーと調光装置とを組合せた目覚し装置であって、タイマーを起床時間の少し前にセットしておき、このセットした時間が来た時に調光装置が起動して室内灯Ａの点灯が始まる。
【０００７】
この室内灯Ａは電流によって光輝が強弱するランプであって、調光装置が起動した時点から電流が徐々に上り、これに伴なって光量が徐々に増し、調光装置が廻って零になったときに室内灯Ａの光量が全光となるもので、この室内灯Ａは、調光装置が起動した時点で点灯を始め、調光装置の調光ツマミが零（０）になった時に全光して予めセットした起床時刻には自然的で体に優しく完全な目覚めができる。
【０００８】
【発明の実施の形態】
添付図面により本発明の実施の形態を説明すると、図１は本発明のタイマーと調光装置を用いた目覚しスイッチの全体を示す正面図であって、この目覚しスイッチＢは、タイマー（１）と調光装置（３）が組合されて一体となった構造で室内の壁等に設置されている。
【０００９】
図中の目覚しボックスＢのタイマー（１）側には１２時間設定できるタイマーツマミ（２）及びタイマー用スイッチ（６）が内蔵されている。また併設されている調光装置（３）側には、調光装置の光量を可変とさせる調光ツマミ（４）が設けてあり、この調光ツマミ（４）は、その図示されている目盛を見て理解できるように０〜０までの５分毎の目盛が付けてあって、０〜０までツマミ（４）を回すと最大３０分間作動する。（７）は室内灯用の主スイッチで、その作動機構が内蔵されている。
【００１０】
図２及び図３は、本発明の作動機構を説明する構造図ならびに回路図で、モーターＭの駆動によってタイマー（２）が作動し、タイマー（２）のセット時間が来てスプリングが下り、２岐の切換え子（５）が矢印のように動いて調光装置が起動し、調光装置側の調光ツマミ（４）が作動し始める。
【００１１】
この調光ツマミ（４）の起動が始まると室内灯Ａが点灯する。この室内灯Ａは調光ツマミ（４）の時間が進むにつれて電流制御器の作用によって徐々に電流が上り、室内灯Ａの光量も徐々に明るさが増し、調光ツマミ（４）が一周して零に戻った時には室内灯Ａの光度は全光して１００％となる。
【００１２】
本発明装置にあっては、ベルやアラームが鳴らない形式となっていて、室内灯Ａの光による起床を頼りとしているが、これで物足りない場合には、請求項２に記載しているように、予め３０分前にセットしたタイマーの終了時に一旦ベルやアラームを鳴らすことも可能であって、これによって目覚めを一層完全なものとする。
【００１３】
【発明の効果】
上述のように、本発明の目覚しスイッチは、タイマーと調光装置を組合せることによって、起床時刻が来る前から室内灯Ａが点灯し始めて徐々に明るさが増し、そしてセットした起床時刻になると室内灯Ａが全光して明るくなる。
【００１４】
したがって、使用者は、起床時刻が来て室内灯Ａが全光して１００％明るくなる間３０分間に体も馴れて完全な目覚め状態とすることが出来、快適な起床が得られ、一日の活動が活発になるというもので、従来から使用されている目覚し時計にはない卓越した、しかも画期的作用効果を奏する。
【図面の簡単な説明】
【図１】本発明の目覚しスイッチの全体図
【図２】本発明内部の構造説明図及びタイマー用回路図
【図３】調光装置及び室内灯用回路図
【符号の説明】
１  タイマー表示
２  タイマーツマミ
３  調光装置
４  調光ツマミ
５  ２岐切換え子
６  タイマースイッチ
７  主スイッチ
Ａ  室内灯
Ｂ  操作ボックス
Ｍ  モーター
【図１】
2004347503.tif 000003
【図２】
2004347503.tif 000004
【図３】
2004347503.tif 000005
(57)【要約】【目的】ハイキングや旅行で、花の香りを含んだ空気、高山の澄んだ空気などを簡単に、採取して、おみやげとして持ち帰ることができ、また気体のサンプル採取用として利用できるようにするため、専用の気体収納袋（特願２００３−７９８）に使用する携帯用の手動エアーポンプの提供である。【構成】手動エアーポンプの気体排出ノズルを、気密性、柔軟性のある素材でつくった中空で先細の形状とするが、この気体排出ノズルは、気体収納袋の通気路に挿入、はめこむことのできる長さと先細の形状とする。気体収納袋の通気路の先端に挿入されたノズルの先端部は、使用者の指を、手動エアーポンプの弁として代用することで気体収納の機能を果す。また気体排出ノズルに導気チューブを取り付けたタイプも考案した。【選択図】    図１
2004347581.tif 000002
【特許請求の範囲】
【請求項１】
気体収納用袋（特願２００３−７９０９８）に気体を吹き込むための手動エアーポンプの構造を以下のようにする。
手動エアーポンプの気体排出ノズルを、気体収納袋の通気路の先端に挿入、はめこむことのできる長さとし、先細の形状とする。この気体排出ノズルは気密性、柔軟性のある中空の構造体で、指で挟んで圧したり弛めたりして弁の代用とすることができる。以上を特徴とする気体採取用の手動エアーポンプ。
【請求項２】
手動エアーポンプの気体排出ノズルに、はめ込む気密性、柔軟性のある中空の導気チューブであって、導気チューブは気体収納袋の気体通気路の先端に挿入、はめこむことのできる長さとし、先細の構造とする。この導気チューブは指で挟んで圧したり弛めたりして弁の代用とすることができる。以上を特徴とする導気チューブ。
【発明の詳細な説明】
【０００１】
【発明の属する技術分野】
花の香り、山の澄んだ空気、サンプルとして気体などを、携帯用の特殊構造を持つ気密な袋に簡便に収納できる手動エアーポンプの構造に関する技術である。
【０００２】
【従来の技術】
ＩＰＣ（Ｆ０４Ｂ  ３３／００）による先行技術調査（１９８０〜２００３年４月までの全対象調査）では、同じ案はなかった。
【０００３】
【発明が解決しようとしている課題】
ハイキングや旅行で、花の香りを含んだ空気、高山の澄んだ空気、あるいは気体のサンプルなどを簡単に採取して、おみやげや研究用として持ち帰ることができるようにすることである。かさばらず気軽に携帯できる用具であり、低価格で利用できる用具とすることである。
【０００４】
【課題を解決するための手段】
手動のエアーポンプの気体排出ノズルを気体収納袋（特願２００３−７９０９８）へ導く機能をもたせる。気密性、柔軟性のある中空で先細のノズルであって。気体収納袋の通気路先端に差し込める長さをそなえる。このノズルを気体収納袋の通気路に差込み、指による押圧、押圧解除を、弁のかわりにして気体を充填する構造とした。また既製の気体排出ノズルにはめ込み使用するため、気密性、柔軟性のある中空で先細の導気チューブも考案した。
【０００５】
【発明の実施の形態】
本案を図によって説明する。
図１は、手動エアーポンプを示す。１は手動のエアーポンプ本体である。このエアーポンプ本体の中空弾性体を手掌で圧縮したり弛めたりを繰り返すことで気体の排出・吸入を行う。２は気体排出ノズルである。３は先頭部分である。４は排出口を示す。気体排出ノズル２には、指で挟み圧して気体の流れを止めることができる柔軟性のある素材を使用する。その機能は図２によって袋との関連で述べる。５は気体吸入ノズルである。この気体吸入ノズル５は作業者の体臭などを取り込まないように作業者から離れた地点で気体を吸入する延長管６を備える。この延長管６の先端に杯型の集気器をつけ気体を集める。
図２は、気体収納袋と、柔軟性のある素材でつくった中空の細長い気体排出ノズル２がどのように機能するかを示す。７は気体収納袋（特願２００３−７９０９８）である。８はチャックつき開口部を２分する接着部である。９はチャックつきの小開口部、１０はチャックつきの大開口部である。大開口部１０は気体採取時には使用しない。小開口部９は袋の内面を接着した接着線１１と袋の辺縁で、通気路１２を構成する。
通気路１２の先端１３の幅は、手動エアーポンプポンプの気体排出ノズル２を挿入した時、気体排出ノズル２の先端部３を受け入れ、基部から徐々に細くなる先細の気体排出ノズル２がさらに押し込まれて密着するサイズとする。これで袋からの気体を逆流させない。気体収納中の気体収納袋８の保持は次のように行う。手動エアーポンプの気体排出ノズル２を通気路１２に引っかけ、手動エアーポンプ１を握っている手で気体収納袋８を保持する。気体収納袋８の通気路１２の先端１３に挿入された気体排出ノズル２の先端部３は、操作者の指の押圧、押圧解除の動作によって弁の役割を果す。気体収納袋８気体への送り込みが終わり気体排出ノズル２を抜く時は、通気路１２の先端１３を指で挟み気体排出ノズル２を抜いた瞬間に指で圧し閉じ、その後に手動エアーポンプ１を、はずしチャックを閉じる。これで気体収納袋８への気体の充填が完了する。
図３は気体収納袋８の保持の仕組みと、気体収納袋８の使用時の気体排出ノズル２と通気路１２、その先端１３と使用者の指１４の役割関係を示す。
図４は、既製の手動ポンプ１５の気体排出ノズル１６に導気チューブ１８をつけた状態を示す。１７は排気口である。導気チューブ１８は気密性と柔軟性のある素材でつくった中空で先細のチューブである。気体収納袋８の通気路１２の先端１３に差し込み、基部から徐々に細くなる先細の導気チューブ１７の先端１９がさらに押し込まれて通気路１２の先端１３に導気チューブ１７が密着するサイズとする。既製の手動ポンプのノズルに、はめこんで使用する。
【０００６】
【発明の効果】
１、かさばらず、携帯が容易なので、旅行やハイキングなどで、花の香り、澄んだ空気などを気体格納袋に簡単に採取格納できる。旅の想い出つくり、おみやげつくりが気軽にできる。気体サンプル採取が簡単にできる。旅行用ツール、サンプル採取用ツールとしての利便性がある。
２、既製の製品が利用でき、製造工程が単純なので安価で提供できる。
【図面の簡単な説明】
【図１】手動エアーポンプ
【図２】手動ポンプと気体格納袋の使用状態
【図３】気体排出ノズルと通気路先端の使用状態
【図４】気体排出ノズルに導気チューブをつけた状態
【符号の説明】
１、手動エアーポンプ
２、気体排気ノズル
３、先頭部分
４、排出口
５、気体吸入ノズル
６、延長管
７、気体収納袋
８、接着部
９、チャックつき小開口部
１０、チャックつき大開口部
１１、接着線
１２、通気路
１３、通気路の先端
１４、使用者の指
１５、既製の手動エアーポンプ
１６、気体排気ノズル
１７、排気口
１８、導気チューブ
１９、導気チューブの先端
【図１】
2004347581.tif 000003
【図２】
2004347581.tif 000004
【図３】
2004347581.tif 000005
【図４】
2004347581.tif 000006
(57)【要約】［課題］  ストッパーの、ガンギ車との接触部分の消耗の少ない、時計の調速機を提供する。［解決手段］  内向きに歯（２）〜（６）のついたガンギ車（１）の内側に、４本の腕（７）〜（１０）のついたストッパー（１２）をとりつけ、ストッパー（１２）に振り子（１１）を設置したことを特徴とする。【選択図】  図１
2004347584.tif 000002
【特許請求の範囲】
【請求項１】
内向きに歯のついたガンギ車の内側に、振り子がついたストッパーを設置し、そのストッパーで、ガンギ車の回転を一定に保つ時計の調速機
【発明の詳細な説明】
【０００１】
［発明の属する技術分野］
この発明は、時計の針の回転を一定にするための調速機に関するものである。
【０００２】
［従来の技術］
従来の機械式時計の調速機は、ストッパーが、ガンギ車を一時的に止める役割をする部分と、ストッパーが、ガンギ車から振り子が振れるエネルギーを受ける役割をする部分が同一であった。そのため、その部分の消耗が激しかった。
【０００３】
［発明が解決しようとする課題］
従来の機械式時計は、ストッパーのガンギ車との接触部分の消耗が激しかった。この発明は、その消耗を小さくしようとなされたものである。
【０００４】
［課題を解決するための手段］
内向きに、歯ａ（２）、歯ｂ（３）、歯ｃ（４）、歯ｄ（５）、歯ｅ（６）のついたガンギ車（１）の内側に、腕Ａ（７）、腕Ｂ（８）、腕Ｃ（９）、腕Ｄ（１０）がついたストッパー（１２）を設置する。ストッパー（１２）は、左右に自由に動くことができ、上下には、動かなくする。ストッパーに、振り子（１１）を設置する。
【０００５】
［発明の実施の形態］
以下、本発明の実施の形態を説明する。
（イ）内向きに歯ａ〜ｅ（２）、（３）、（４）、（５）、（６）がついたガンギ車（１）の内側に、腕Ａ〜Ｄ（７）、（８）、（９）、（１０）がついたストッパー（１２）を設置する。
（ロ）ストッパー（１２）は、左右に自由に動き、上下には動かないようにする。
（ハ）ストッパー（１２）に、振り子（１１）を、とりつける。
本発明は、以上の構成よりなっている。
本発明を使用するときは、ぜんまいなどで、左向きに、ガンギ車（１）を回転させようとする力を加える。
すると、歯ｃ（４）が腕Ｃ（９）にあたり、ストッパー（１２）を、右側に押す。そして、ストッパー（１２）は、右に動き、振り子（１１）は、右側に振れる。
そのあと、ガンギ車（１）が少し回転したときに、歯ｄ（５）が、腕Ｄ（１０）にぶつかり、ガンギ車（１）の回転は、止められる。しかし、振り子（１１）は、そのまま右に振れ、右に振り切ったあと、左に振れる。そのとき、ストッパー（１２）も左に動き、ガンギ車（１）をストップさせていたのを解除し、再びガンギ車（１）は回転しはじめる。
そのあと、ガンギ車（１）は回転し、歯ｅ（６）が、腕Ａ（７）にぶつかり、ストッパー（６）を左に押す。このとき、振り子（１１）は、さらに左に振れるエネルギーを得、左に振れる。
そして、ガンギ車（１）が少し回転したところで、腕Ｂ（８）が歯ａ（２）にぶつかり、ガンギ車（１）を止める。そして、振り子（１１）が振り切ったあとに、ストッパー（１２）は、右に動き、ガンギ車（１）を腕Ｂ（８）がストップさせていたのを解除し、再びガンギ車（１）は回転をはじめる。そして歯ｂ（３）は腕Ｃ（９）を右に押し、振り子（１１）は右に振れるエネルギーを得る。そして、腕Ｄ（１０）に歯ｃ（４）がぶつかり、再びガンギ車（１）は止められる。と、これを繰り返し、ガンギ車は、振り子のリズムに合わせ、一定の速さで回転する。
【０００６】
［本発明の効果］
本発明を使用することにより、ストッパーのガンギ車との接触部分の消耗が少ない時計をつくることができる。
ストッパーは、必らずしも４つの腕を持った形にならず、長方形でも、同様の効果を得ることができる。
【図面の簡単な説明】
【図１】本発明を正面から見た図である。
【図２】本発明を、振り子が右に振れたとき、正面から見た図である。
【図３】本発明を、振り子が右に振り切ったあと、左に振れ始めたとき、正面から見た図である。
【図４】本発明を、振り子が左に振れたとき、正面から見た図である。
【符号の説明】
１  ガンギ車
２  歯ａ
３  歯ｂ
４  歯ｃ
５  歯ｄ
６  歯ｅ
７  腕Ａ
８  腕Ｂ
９  腕Ｃ
１０  腕Ｄ
１１  振り子
１２  ストッパー
【図１】
2004347584.tif 000003
【図２】
2004347584.tif 000004
【図３】
2004347584.tif 000005
【図４】
2004347584.tif 000006